(57)【要約】【課題】場所の変化に応じて常に最適な受信状態で番組を視聴することを可能とするデジタル放送受信装置および通信システムを提供する。【解決手段】ユーザによって選択された現在視聴中の番組（若しくはその放送局）又は予約した番組（若しくはその放送局）に関係する地域のチャンネルをＥＰＧデータから抽出してチャンネルリストを生成し、視聴中の受信チャンネル又は予約に基づいて受信しているチャンネルの受信品質が所定の品質を得られなくなってくると、上述のチャンネルリストにあるチャンネルをスキャンして最適な受信品質が得られるチャンネルに変更することにより、安定した感度で同一の当該番組（若しくはその系列局）を受信する。【選択図】図２
2006332828.tif 000002
【特許請求の範囲】
【請求項１】
デジタル放送を受信する受信手段と、
該受信手段が受信するチャンネルを選局する選局手段と、
該選局手段により選局した番組に関する情報とデジタル放送の電子番組表情報に基づいて、当該選局した番組を放送する地域の情報と該地域における前記番組を放送するチャンネルの情報とを対応付けて記憶する記憶手段と、
を備えたデジタル放送受信装置。
【請求項２】
前記選局したチャンネルの受信品質を監視して、該チャンネルの受信品質が所定の品質を得られなくなってくると前記記憶手段が記憶しているチャンネルを走査し、該記憶手段に記憶しているチャンネルが捕捉できる場合は、当該捕捉したチャンネルから得られる地域情報と前記記憶手段が記憶している当該チャンネルに対応する地域情報が一致したことを条件として前記受信していたチャンネルを前記捕捉したチャンネルに変更する制御手段を備えた請求項１記載のデジタル放送受信装置。
【請求項３】
無線通信事業者のネットワークと無線通信を行う無線通信手段を備え、
該無線通信手段が前記デジタル放送の電子番組表情報を取得することを特徴とする請求項１に記載のデジタル放送受信装置。
【請求項４】
前記デジタル放送の電子番組表情報は、全国の番組表に関する情報であることを特徴とする請求項１に記載のデジタル放送受信装置。
【請求項５】
前記デジタル放送の電子番組表情報は、デジタル放送を受信している近隣の地域の番組表に関する情報であることを特徴とする請求項１に記載のデジタル放送受信装置。
【請求項６】
番組を記録するための時刻と受信チャンネルを設定する設定手段を備え、
前記記憶手段は、前記設定手段により番組を記録する設定が行われた際に、該設定した番組に関する情報とデジタル放送の電子番組表情報に基づいて、当該設定した番組を放送する地域の情報と該地域における前記番組を放送するチャンネルの情報とを対応付けて記憶することを特徴とする請求項１に記載のデジタル放送受信装置。
【請求項７】
デジタル放送を受信する受信手段と、該受信手段が受信するチャンネルを選局する選局手段と、該選局手段により選局した番組に関する情報をサーバへ送信する送信手段と、を有するデジタル放送受信装置と、
前記デジタル放送受信装置から前記選局した番組に関する情報を受信する受信手段と、デジタル放送の電子番組表情報を保持する保持手段と、前記受信した番組に関する情報と前記デジタル放送の電子番組表情報に基づいて、当該番組を放送する地域の情報と該地域における前記番組を放送するチャンネルの情報とを対応付けたリストを生成する生成手段と、を有するサーバと、から構成される通信システムであって、
前記デジタル放送受信装置は、前記サーバから前記リストを受信し、前記選局中のチャンネルの受信品質が所定の品質を得られなくなってくると前記リストにあるチャンネルを走査し、該リストにあるチャンネルが捕捉できる場合は、当該捕捉したチャンネルから得られる地域情報と前記リストにある当該チャンネルに対応する地域情報が一致したことを条件として前記選局中のチャンネルを前記捕捉したチャンネルに変更する制御手段を備えた通信システム。
【発明の詳細な説明】
【技術分野】
【０００１】
本発明は、携帯電話機に代表されるバッテリ駆動の装置に関し、特にデジタル放送を受信することが出来るデジタル放送受信装置および通信システムに関する。
【背景技術】
【０００２】
近年、携帯電話機にテレビチューナを内蔵する技術が知られている（例えば、特許文献
１参照）。また、地上波デジタル放送または衛星デジタル放送では、主に携帯性の高い小型受信機向けに、１または３セグメントの伝送帯域を使用した放送が予定されている。
【０００３】
ところで、地上波によるデジタル放送では、地域により放送局（放送エリア）が異なり、放送される周波数も異なる。このため、たとえば、全国の地域別のチャンネル情報（受信可能な周波数（チャンネル）や放送局名などのデータ）をプリセットデータベースとしてメモリに記憶させておき、視聴者が地域（放送エリア）を指定することにより、指定された地域の放送局・周波数データをプリセットデータベースから読み出し、対応する地域のチャンネル設定を行うことができる。
また、対応する地域のチャンネル設定を行なわなくてもチャンネルスキャンと呼ばれる機能により、実際にその受信装置が受信可能な放送波を全て拾い出しチャンネルのリストを作成、保持することも出来る。
なお、各地域に対応するコードは、ＡＲＩＢ（日本電波産業会）規格において地域識別コード（以下、地域コードと称する）として規定されている。
【０００４】
しかし、受信装置が車に搭載されていたり携帯電話機に搭載されていたりするような場合、ユーザの移動などにより受信装置が属する地域（放送エリア）が変化した場合には、手動により新しい地域に応じたチャンネル設定を行ったり、チャンネルスキャンを行わないと、その地域のデジタル放送を受信することができない。また、視聴中に地域（放送エリア）が変化した場合には継続して同じ番組を視聴することもできない。
【０００５】
この問題に対して、下記特許文献２においては、受信装置が現在ある緯度経度や都道府県といった位置を検出し、各地域で放送されている番組と地域コードを対応づけたテーブルを保持するサーバに対してその位置情報を送信することで、サーバからその位置及び一定の関係のある地域の番組表をし、現在の地域で放送し視聴している番組が移動先の地域（受信可能エリア）において放送されていれば、前記番組表と現在位置検出に基づいて自動的に受信チャンネルを変更することで継続して視聴することが出来るといった技術が示されている。
【０００６】
【特許文献１】特開２００２−９９２０号公報
【特許文献２】特開２００３−１８１０８号公報
【発明の開示】
【発明が解決しようとする課題】
【０００７】
しかしながら、上述した技術では、受信状態に関わらず位置情報に基づいてチャンネルが自動的に変更される。そのため例え変更前の地域（エリア）のチャンネルの方が感度良く受信できる場合でも位置に応じて自動的に受信チャンネルが変更されてしまうため、変更前より変更後の方が受信状態が悪くなる場合があり、最悪視聴できなくなる可能性もある。
【０００８】
また、定期的に位置情報を送信するため、不要（移動していても放送エリアが変更されない場合や移動していない場合など）な通信が行われていることもあり、その分の無駄な通信コストがかかるし、無駄な無線リソースの使用にもなる。
【０００９】
また、位置情報の送信中は電力を消費することになるため、その分放送を視聴するために必要な電力を消費して視聴可能時間を減らしてしまうことになる。
【００１０】
さらに、移動中に位置情報を送信できない状態、つまり放送は受信可能でも通信するための電波が到達圏外だった場合（通信するときだけ圏外である場合も含む）、サーバに対しても通信ができないため、受信チャンネルの変更ができないといった問題がある。
【００１１】
本発明は上記した点に鑑みてなされたものであって、その目的とするところは、場所の変化に応じて常に最適な受信状態で番組を視聴することを可能とするデジタル放送受信装置および通信システムを提供することにある。
【課題を解決するための手段】
【００１２】
上記課題を克服するために、本発明の第１の観点は、デジタル放送を受信する受信手段と、該受信手段が受信するチャンネルを選局する選局手段と、該選局手段により選局した番組に関する情報とデジタル放送の電子番組表情報に基づいて、当該選局した番組を放送する地域の情報と該地域における前記番組を放送するチャンネルの情報とを対応付けて記憶する記憶手段と、を備えたデジタル放送受信装置である。
【００１３】
好適には、前記選局したチャンネルの受信品質を監視して、該チャンネルの受信品質が所定の品質を得られなくなってくると前記記憶手段が記憶しているチャンネルを走査し、該記憶手段に記憶しているチャンネルが捕捉できる場合は、当該捕捉したチャンネルから得られる地域情報と前記記憶手段が記憶している当該チャンネルに対応する地域情報が一致したことを条件として前記受信していたチャンネルを前記捕捉したチャンネルに変更する制御手段を備える。
【００１４】
好適には、  無線通信事業者のネットワークと無線通信を行う無線通信手段を備え、該無線通信手段が前記デジタル放送の電子番組表情報を取得する。
【００１５】
好適には、前記デジタル放送の電子番組表情報は、全国の番組表に関する情報である。
【００１６】
好適には、前記デジタル放送の電子番組表情報は、デジタル放送を受信している近隣の地域の番組表に関する情報である。
【００１７】
好適には、番組を記録するための時刻と受信チャンネルを設定する設定手段を備え、前記記憶手段は、前記設定手段により番組を記録する設定が行われた際に、該設定した番組に関する情報とデジタル放送の電子番組表情報に基づいて、当該設定した番組を放送する地域の情報と該地域における前記番組を放送するチャンネルの情報とを対応付けて記憶する。
【００１８】
上記課題を克服するために、本発明の第２の観点は、デジタル放送を受信する受信手段と、該受信手段が受信するチャンネルを選局する選局手段と、該選局手段により選局した番組に関する情報をサーバへ送信する送信手段と、を有するデジタル放送受信装置と、前記デジタル放送受信装置から前記選局した番組に関する情報を受信する受信手段と、デジタル放送の電子番組表情報を保持する保持手段と、前記受信した番組に関する情報と前記デジタル放送の電子番組表情報に基づいて、当該番組を放送する地域の情報と該地域における前記番組を放送するチャンネルの情報とを対応付けたリストを生成する生成手段と、を有するサーバと、から構成される通信システムであって、前記デジタル放送受信装置は、前記サーバから前記リストを受信し、前記選局中のチャンネルの受信品質が所定の品質を得られなくなってくると前記リストにあるチャンネルを走査し、該リストにあるチャンネルが捕捉できる場合は、当該捕捉したチャンネルから得られる地域情報と前記リストにある当該チャンネルに対応する地域情報が一致したことを条件として前記選局中のチャンネルを前記捕捉したチャンネルに変更する制御手段を備えた通信システムである。
【発明の効果】
【００１９】
本発明によれば、場所の変化に応じて常に最適な受信状態で番組を視聴することができる。
【発明を実施するための最良の形態】
【００２０】
本発明に係るデジタル放送受信装置の一実施形態として、地上波デジタル放送（１セグメント放送）を受信可能な携帯電話機１について述べる。
図１は、本実施形態に係る携帯電話機１の外観形状の一例であり、図２は、本実施形態に係る携帯電話機１のシステム構成の一例を示す図である。
以下、図１および図２に関連付けて、携帯電話機１の主要な構成要素について述べる。
【００２１】
無線部１３は、無線通信事業者のネットワークと無線電波を利用した無線通信を行うために、制御部１１で処理された各種データを変調して送受信アンテナ１２により無線通信事業者の基地局に送信する。
また、無線部１３は、基地局から無線信号により送信され、送受信アンテナ１２で受信した各種データを復調して制御部１１に送出する。
【００２２】
メモリ１４は、通話やメール、インターネットブラウザ等のアプリケーションプログラム、メールデータ、名前および電話番号が登録されたアドレス帳の各種データ、本実施形態の携帯電話機が有する様々なデータを記憶する。制御部１１は、たとえば、デジタル放送受信のためのアプリケーション（デジタル放送用アプリケーション）を起動するために、メモリ１４が記憶する当該アプリケーションのプログラムをメモリ１４の構成部の１つであるＲＡＭ領域にロードする。
【００２３】
また、メモリ１４は、地域コードデータを記憶する。地域コードデータは、日本全国の受信チャンネル（周波数）と地域コードとが対応付けられ、ＡＲＩＢ（日本電波産業会）によって規定されたデータである。
さらに、メモリ１４は、チャンネルリストを記憶する。チャンネルリストは、後述するように、選択された１または複数の番組に対して、地域コードと受信チャンネル（周波数）とが制御部１１によって抽出されたデータである。
【００２４】
キー操作部１５は、複数の操作キーを含んで構成される。
図１に示すように、複数のキーは、Ｗｅｂブラウザを起動してインターネットに接続するためのウェブキー１５ａ、電子メール機能を実行するためのメールキー１５ｂ、ソフト１キー１５ｃおよびソフト２キー１５ｆ、上下左右キー１５ｄ、処理を確定させるための決定キー１５ｅ、発信するためのオフフックキー１５ｇ、クリアキー１５ｈ、通信を切断するためのオンフックキー１５ｉ、「０」〜「９」の数字、「＊」、「＃」に対応したテンキー１５ｊからなる。
【００２５】
上下左右キー１５ｄは、上下左右の４方向の操作が可能なキーである。たとえば、上下左右キー１５ｄの上下の操作によって、デジタル放送のチャンネルをアップ／ダウンさせて選局操作を行うことができる。
【００２６】
受信アンテナ２０、チューナ１６、復調部１７、およびＴＳ分離部１８は、携帯電話機１におけるデジタル放送の受信／映像信号／音声信号／データ信号等の出力を行う。
【００２７】
受信アンテナ２０は、デジタル放送波を常時、連続的に受信し、チューナ１６は、キー操作部１５に対する操作に応じて制御部１１から指令されたチャンネルを選局し、選局したチャンネルの放送内容、すなわち、トランスポートストリーム（ＴＳ）を復調部１７に出力する。
【００２８】
復調部１７は、選局されたチャンネルのトランスポートストリーム（ＴＳ）を復調する。
なお、復調されたトランスポートストリーム（ＴＳ）にスクランブルがかかっている場合には、図示しないデスクランブラにてスクランブルの解除を行なう。すなわち、デスクランブラは、特定のデジタル放送受信装置のみが再生できることを許可する（限定受信方式の暗号化された放送を解読する）処理を行う。そして、トランスポートストリーム（ＴＳ）がスクランブル処理されている場合、制御部１１の指示のもとで動作し、スクランブル処理方式に則したデスクランブル処理を行う。
【００２９】
トランスポートストリーム（ＴＳ）は、例示的なＴＳを図３に図解したように、音声信号と、映像信号と、データ信号と、番組情報とがパケット単位で多重化されている。たとえば、音声信号と映像信号とはＭＰＥＧ方式で圧縮符号化されている。
【００３０】
データ信号には、現在捕捉されている電波の地域コードが含まれている。また、番組情報には、ＥＰＧデータ（電子番組ガイド）が含まれている。
【００３１】
上記トランスポートストリーム（ＴＳ）信号は、ＴＳ分離部１８にて、パケット毎に、映像信号、音声信号（音響／音声）、データ信号、番組情報に分離される。
分離された映像信号は、画像処理部１９にて、たとえば、ＭＰＥＧ方式で復号されて映像として表示部２３に表示される。
分離された音声信号は、音声処理部２２にて、たとえば、ＭＰＥＧ方式で復号され、音声および／または音響としてスピーカ２４から出力される。
分離されたデータ信号は、データ処理部２１でその内容を解析し、データ信号の内容が放送サービスに関係しているものである場合には、表示部２３などにおいて表示・再生可能なように復号し、表示又は再生を行なう。データ信号に含まれる地域コードは、制御部１１に供給される。
分離された番組情報は、データ処理部２１でＥＰＧデータが取り出され、制御部１１に供給される。
【００３２】
画像処理部１９は、分離されたＭＰＥＧ方式の映像信号を復号し、映像信号を出力するとともに、表示部２３を駆動して表示部２３に映像を表示させる。なお、画像処理部１９は、デジタル放送の映像だけではなく、携帯電話機に関する情報（通話機能に応じたいわゆる待受画面、電話番号、各種アプリケーションのデータ）などを表示部２３に表示させることは言うまでもない。
【００３３】
音声処理部２２は、マイクロフォン（適宜マイクと略記する）２５より集音したユーザの音声に対して、フィルタリング処理や符号化処理などの所定の処理を行って音声データを生成する。生成された音声データは、たとえば、無線部１３および送受信アンテナ１２を介して基地局へ通話のために送出される。
また、音声処理部２２は、送受信アンテナ１２および無線部１３を介して受信した音声データや、ＴＳ分離部１８により分離された音声信号を増幅して、スピーカ２４に音声などの音を出力させる。
【００３４】
制御部１１は、マイクロコンピュータを主体として構成され、携帯電話機１の全体の制御を行う。たとえば、制御部１１は、無線部１３における各種情報の無線による送受信の制御、デジタル放送の受信処理、音声処理部２２に対する音声情報の処理、表示部２３への情報の表示制御、キー操作部１５からの入力情報に応じた処理、メモリ１４に対するアクセス制御等の各種処理を行う。
【００３５】
制御部１１は、ユーザによって選択された番組を放送する全地域（全国）のチャンネルを全地域（全国）のＥＰＧデータから抽出し、番組とチャンネルと地域コードが対応付けられたチャンネルリストを生成する。
【００３６】
図４は、制御部１１が生成したチャンネルリストを模式的に例示した図である。
図４に示す例では、ユーザによって選択されて現在視聴中の番組「Ａ」に対し、全地域（全国）のＥＰＧデータを検索して、当該番組を放送するすべてのチャンネルを抽出して、地域コードとともにチャンネルリストを生成する。なお、地域コードはＥＰＧデータに含まれており、そこから抽出する。
図４では、番組「Ａ」に対応する全地域（全国）のチャンネル（ｃｈ．２４，１９，４５，６３，２２，３４，２０）をＥＰＧデータから抽出して、これらの複数のチャンネルに地域コードを対応付けてチャンネルリストが生成される。
【００３７】
また、制御部１１は、チャンネル切り替えの判断要素とするために、受信中（視聴中）のチャンネルの受信感度を監視する監視機能を有している。受信感度は、たとえば、受信信号強度やＢＥＲ（ビットエラーレート）観測すること等で得られる。
【００３８】
次に、図５のフローチャートに関連付けて、携帯電話機１におけるチャンネル設定変更動作について説明する。
【００３９】
図５において、先ず、ユーザにより番組の選局が行われ（ステップＳＴ１）、次に全地域（全国）のＥＰＧデータを取得する（ステップＳＴ２）。ここで、全地域（全国）のＥＰＧデータを取得する方法としては、放送波から取得する方法と、通信を用いて取得する方法がある。また、事前に全地域（全国）のＥＰＧデータを取得している場合は、この処理をスキップしても良い。そして、選局番組をキーにして（例えば番組コードを用いる）その番組が放送されている（または放送予定の）放送局を検索し（ステップＳＴ３）、検索ヒットした放送局の当該番組を放送するチャンネル（周波数）を検索し、地域情報とともに、該当するすべてのチャンネルをチャンネルリストとして保持する（ステップＳＴ４）。なお、全地域（全国）のＥＰＧデータに基づく放送局の検索と放送局のチャンネル（周波数）の検索については一度の処理で行っても良い。また、地域情報は地域コードでも、地域名でも、その他特別なコードを用いても良い。また、地域情報を得る１つの手法としては、ＥＰＧデータに含まれる情報から得ることが出来る。そして、ユーザにより選局が行われたチャンネルの番組の映像信号および音声信号が再生される（ステップＳＴ５）。なお、選局が行われたチャンネルの番組の映像信号および音声信号が再生されると同じタイミングで上述の処理を行っても良い。
【００４０】
次に、現在のチャンネル設定では適切な受信品質が得られなくなってくると、受信品質が低下していることを認識する。そして、監視する（視聴する）チャンネルの受信品質が所定の品質を満たさなくなると（閾値以上でなくなると）（ステップＳＴ６）、上述のチャンネルリストにあるチャンネルをスキャンし始める（ステップＳＴ７）。なお、スキャンを行うに当たり、再生が停止する場合には、所定の表示をして、スキャン処理を行う旨を表示するようにしてもよい。
【００４１】
スキャン処理では、先ず、チャンネルリストにあるすべてのチャンネルを順に走査し（ステップＳＴ８）、捕捉できるチャンネル（所定の品質が得られるチャンネル）があるか否かの確認を行う（ステップＳＴ９）。捕捉できたチャンネルがあれば（ステップＳＴ１０）、その捕捉したチャンネルを選局して（ステップＳＴ１１）。そして、その選局したチャンネルに基づいて地域の情報を含むデータを受信する（ステップＳＴ１２）。尚、地域コードは、選局したチャンネルのトランスポートストリームに含まれている。
【００４２】
そして、選局したチャンネルがチャンネルリストに示した地域のチャンネルであるか否かを検証するために選局したチャンネルに基づいて受信した地域情報とチャンネルリストに示されている該チャンネルの地域情報を比較する（ステップＳＴ１３）。この検証により地域情報が一致するのであれば（一致を条件として）、選局したチャンネルがチャンネルリストに示されているチャンネルであるので、継続して視聴できる番組を放送しているチャンネルであるため、捕捉できた（選局した）チャンネルに変更して、受信したデータを再生処理する。なお、この検証により地域情報が一致しないのであれば、それは偶然捕捉できた本来の目的とは異なるチャンネルであるので、チャンネルリストにある他のチャンネルを走査する。
【００４３】
また、チャンネルリストのすべてのチャンネルで捕捉できない場合には、スキャン処理を行う以前のチャンネルを選局するとともに（ステップＳＴ１４）、継続して視聴できる番組を放送しているチャンネルが捕捉できなかった旨を表示する（ステップＳＴ１５）。
【００４４】
なお、図５の処理動作は、ユーザが番組を視聴している場合の処理について述べたが、ユーザによる番組予約（録画予約など）に基づく動作の場合においても、上記処理を行ってもよい。尚、番組予約とは操作部により番組を記録するための時刻と受信チャンネルを設定して、設定した時刻に設定したチャンネルを受信して番組を記録する機能である。
たとえば、キー操作部１５の操作に応じて、番組予約を受け付ける番組予約機能を制御部１１内（例えばプログラムとして）に設け、その番組予約設定の内容に基づいて予約設定の際に予めチャンネルリストを生成・格納しておく。これによって、番組開始前から最適なチャンネルを予め設定しておくことができるし、記録中に移動に伴って受信電界強度が低下しても、最適なチャンネルを再設定することで同じ番組を継続して記録し続けることができる。
【００４５】
また、チャンネルリストを生成する際に、地域コードデータ内の全国の地域コードをすべて検索することをせず、現在放送電波を捕捉している地域と隣接する地域など同じ番組を継続して視聴若しくは記録するために必要な地域のみを検索の対象とするようにしてもよい。これにより、スキャン処理の対象を絞り込むことができ、短時間で所望のチャンネルを捕捉することが可能となる。
【００４６】
また、上記実施例では番組について記載しているが、系列の放送局に継続する方法も含むものとする。その場合、選択した番組の放送局を検索キーとして検索を行い、検索された系列の放送局のチャンネルを地域情報と共に対応付けてチャンネルリストを生成する。系列局の関係については、ＥＰＧデータに含まれていたり、系列局情報を保持しておきその情報に基づいて判定したりしても良い。
【００４７】
以上説明したように、本実施形態に係るデジタル放送受信装置によれば、ユーザによって選択された現在視聴中の番組（若しくはその放送局）又は予約した番組（若しくはその放送局）に関係する地域のチャンネルをＥＰＧデータから抽出してチャンネルリストを生成し、視聴中の受信チャンネル又は予約に基づいて受信しているチャンネルの受信品質が所定の品質を得られなくなってくると、上述のチャンネルリストにあるチャンネルをスキャンして最適な受信品質が得られるチャンネルに変更することにより、安定した感度で同一の当該番組（若しくはその系列局）を受信することが出来る。
【００４８】
また、単に地域コードに応じてチャンネルを切り換えるのではなく、受信しているチャンネルのそのチャンネルだけ受信感度によって最適なチャンネルに切り換えるので、関係の無い（受信していない）チャンネルまでも地域設定をする必要がなくなる。
また、チャンネル設定に必要なデータを予め用意しておくので、受信しているチャンネルの受信品質が所定の品質を満たさなくなった際に無線通信が「圏外」である場合であっても、何ら支障なく上記チャンネル設定を行うことができるとともに、通信コスト・消費電力を抑制できる。
【００４９】
上述した実施の形態は本発明の例示にすぎず、本発明が上述した実施の形態に限定されるわけではない。たとえば、上述した実施形態では、ＥＰＧデータを受信したデジタル放送受信装置でチャンネルリストを生成する形態について説明したが、チャンネルリストの生成は、デジタル放送受信装置が行う場合に限られない。たとえば、チャンネルリストを外部のネットワークサーバが生成するようにしてもよい。かかる場合には、デジタル放送受信装置は、ユーザが視聴中の番組のデータ（若しくはその放送局）、またはユーザによって選択された番組のデータ（若しくはその放送局）をネットワークサーバへ送信し、ネットワークサーバでは、自ら保持する番組情報（ＥＰＧデータ）や放送局の系列情報または外部から取得した番組情報（ＥＰＧデータ）や放送局の系列情報などに基づいて、受信した番組データ（若しくはその放送局）からチャンネルリストを生成し、デジタル放送受信装置へチャンネルリストを送信するように構成すればよい。そして、そのチャンネルリストを受信したデジタル放送受信装置は、前記選局中（受信中）のチャンネルの受信品質が所定の品質を得られなくなってくると前記リストにあるチャンネルを走査し、該リストにあるチャンネルが捕捉できる場合は、当該捕捉したチャンネルから得られる地域情報と前記リストにある当該チャンネルに対応する地域情報が一致したことを条件として前記選局中（受信中）のチャンネルを前記捕捉したチャンネルに変更するように制御する。
【００５０】
以上、本発明の実施の形態を詳述してきたが、具体的な構成及びシステムは本実施の形態に限られるものではなく、本発明の要旨を逸脱しない範囲の設計変更や、他のシステムへの適応なども含まれる。
【図面の簡単な説明】
【００５１】
【図１】実施形態に係る携帯電話機の外観形状の一例である。
【図２】実施形態に係る携帯電話機のシステム構成の一例を示す図である。
【図３】トランスポートストリーム（ＴＳ）の構成の一例を示す図である。
【図４】制御部が生成またはアクセスするチャンネルリストを模式的に表した図である。
【図５】チャンネル設定変更動作を示すフローチャートである。
【符号の説明】
【００５２】
１…携帯電話機
１１…制御部
１２，２０…送受信アンテナ
１３…無線部
１４…メモリ
１５…キー操作部
１６…チューナ
１７…復調部
１８…ＴＳ分離部
１９…画像処理部
２１…データ処理部
２２…音声処理部
２３…表示部
２４…スピーカ
２５…マイクロフォン
【図１】
2006332828.tif 000003
【図２】
2006332828.tif 000004
【図３】
2006332828.tif 000005
【図４】
2006332828.tif 000006
【図５】
2006332828.tif 000007